(57)【要約】【課題】  ＵＨＶ送電線のように電位傾度が高く、ラジオやテレビなどへのコロナ発生による電波障害や、雨天時にボルトレス電線把持部回りに形成される雨滴などによって生ずるコロナ騒音を大幅に低減させ得る、ボルトレス電線把持部のスペーサ枠体の配置構造と、軽量で安価な送電線用のスペーサとを提供する。【解決手段】  正多角形の枠体の軸対称にボルトレス電線把持部をジャイロ運動が可能なように放射状に取り付けるとともに、前記ボルトレス電線把持部をターミナルに連結してチャンバーに組み付けた際に、前記ボルトレス電線把持部の正規組み付け姿勢を保持するための回転防止ストッパーを、チャンバーの外平面２箇所に対向して設けており、さらに、最大電位傾度となる多導体の対称軸線上から±θ°左右に変位させて前記ボルトレス電線把持部のクランプ連結部が位置するように構成した、ＵＨＶ送電線に好適なボルトレススペーサである。【選択図】    図１
2009022101.tif 000002
【特許請求の範囲】
【請求項１】
複数本の連結棒（２０）で同数のチャンバー（１５）を連結して、正多角形の枠体（２３）を構成し、
前記チャンバー（１５）に、前記枠体（２３）に軸対称になるように、ターミナル（１４）を介してボルトレス電線把持部（３０）を放射状に取り付け、
前記ボルトレス電線把持部（３０）をターミナル（１４）に連結してチャンバー（１５）に組み付けた際に、前記ボルトレス電線把持部（３０）の正規組み付け姿勢を保持するための回転防止ストッパー（２２）を、チャンバー（１５）の所定箇所に設けた、ことを特徴とする送電線用ボルトレススペーサ。
【請求項２】
請求項１に記載の送電線用ボルトレススペーサにおいて、
前記ボルトレス電線把持部（３０）は、
クランプ（１）およびクランプ（２）を備えて、その両者の連結部（３）が連結ピン（３ｐ）を中心として開閉自在な構造とされ、
前記クランプ（１）および（２）との間に電線を挟持すると共に、Ｔボルト（４）とこのＴボルト（４）をねじ部側に負荷する締付けスプリング（５）とにより、上記クランプ（１）にクランプ（２）を押圧し、
前記Ｔボルト（４）をＴ部側に負荷する押しボルト（９）によって、クランプ（１）へのクランプ（２）の押圧を解除するように構成され、
前記クランプ（１），（２）の連結ピン（３ｐ）を含む連結部（３）が、多導体電線の対称軸線上から ±θ°変位させて構成される、ことを特徴とする送電線用ボルトレススペーサ。
【請求項３】
請求項２に記載の送電線用ボルトレススペーサにおいて、
前記θの範囲は、「±２５°≦θ≦±４５°」の範囲であることを特徴とする送電線用ボルトレススペーサ。
【請求項４】
請求項１〜３いずれかに記載の送電線用ボルトレススペーサにおいて、
前記ボルトレス電線把持部（３０）のＴボルト（４）のＴ部側の外方向に、六角溝（２５）を形成した、ことを特徴とする送電線用ボルトレススペーサ。
【請求項５】
請求項１記載の送電線用ボルトレススペーサにおいて、
前記回転防止ストッパー（２２）は、チャンバー（１５）の外平面の２箇所に対向して設けられる、ことを特徴とする送電線用ボルトレススペーサ。
【発明の詳細な説明】
【技術分野】
【０００１】
本発明は、多導体電線用のボルトレススペーサに係り、より詳細には、１相を構成する素導体条数が６〜１０本の電線で正多角形を構成される、直流または交流の超々高圧（ＵＨＶ）送電線用に使用されるのに好適な、多導体用ボルトレススペーサの構造に関するものである。
【背景技術】
【０００２】
従来のこの種のボルトレス電線把持部としては、例えば、特許文献１の第８〜１０図および特許文献２の図１〜図３に記載されているものがある。
【０００３】
【特許文献１】実公平０７−０５６５７２号公報
【特許文献２】特開平０８−２２８４２２号公報
【０００４】
特許文献１の第１〜第１１図において、符号（１）はボルトレス電線把持部本体であり、押え金（２）がピン（３）により回動自在に取り付けられていて、この両者により電線（４）が挟持されて把持される。また、ボルトレス電線把持部本体（１）には、電線（４）に対してピン（３）の反対側には後に述べるＴボルトが貫通する貫通穴（５）が設けられており、この貫通穴（５）に対して押え金（２）とは反対側に、上記貫通穴（５）の軸心をほぼ中心とするＵ形部（１１）がボルトレス電線把持部本体（１）に対して一体的に設けられている。更に、上記Ｕ形部（１１）の底部には後に述べるねじ部材例えば押しねじが螺通するねじ穴（12）が設けられている。更に又、電線（４）に対してピン（３）の反対側のボルトレス電線把持部本体（１）の先端には、このボルトレス電線把持部を例えばスペーサ枠体（図示していない）等に取り付けるための接続部（１４）が設けられている。
【０００５】
次に、（２１）は先にも述べたＴボルトであり、第１、２、３、６、７、１１図などに示すように、その先端にはＴ部（２１ｃ）が設けられていると共に、末端にはねじ部（２１b：第３図）が形成されている。更に、押え金（２）の電線（４）に対してピン（３）と反対側端部には、第１２図に示すように、貫通穴（５）に対応して叉部（１５）が形成されており、その幅ＬはＴボルト（２１）のＴ部（２１ｃ）の幅より広く、かつ、貫通穴（５）にＴボルト（２１）が貫通されている場合で、Ｔ部（２１ｃ）の長手方向が叉部（１５）の長手方向と一致している場合には、Ｔ部（２１ｃ）は叉部（１５）を通過可能であり、また、上記両方向が相互に交差している場合には通過不可能に形成されている。
【０００６】
また、Ｔボルト（２１）のねじ部材（２１ｂ）にはナット（７）及び座金（８）が設けられ、この座金（８）と貫通穴（５）が設けられているボルトレス電線把持部本体（１）との間には、弾性部材例えば圧縮コイルばね（９）が設けられており、ばね装置（１０）を構成している。
更に、ボルトレス電線把持部本体（１）のＵ形部（１１）の底部に形成のねじ穴（１２）に螺入されているねじ部材、例えば押しねじ（１３）がねじ込まれると、その先端は、Ｔボルト（２１）の末端端面に当接して、圧縮コイルばね（９）の張力に抗して、Ｔボルト（２１）をＴ部（２１ｃ）側に移動させる。
【０００７】
従来のボルトレス電線把持部は、上記のように構成されているので、電線把持に際しては、Ｔボルト（２１）のＴ部（２１ｃ）を叉部（１５）に合わせておくと共に、押しねじ（１３）をねじ込んでおく。この状態で電線（４）をボルトレス電線把持部本体（１）と押え金（２）との間に入れた後、押え金（２）を閉じて、ボルトレス電線把持部本体（１）に対向させる。このとき、押ねじ（１３）が戻された状態では、Ｔボルト（２１）のＴ部（２１ｃ）は押え金（２）の叉部（１５）の中に入るが、Ｔ部（２１ｃ）は押え金（２）の面から出ないために、Ｔボルト（１）を回動してＴ部（２１ｃ）を叉部（１５）に引っかけることができない。そこで、押しねじ（１３）を回転させて押し込むことにより、圧縮コイルばね（９）を圧縮すると共にＴボルト（２１）をＴ部（２１ｃ）側へ移動させ、これによって、Ｔ部（２１ｃ）を押え金（２）の面から突出させる。従って、この状態では、Ｔボルト（２１）は回動可能となる。
【０００８】
次に、Ｔボルト（２１）を回動して、Ｔ部（２１ｃ）と叉部（１５）とを交差特に直交させ、続いて、押しねじ（13）を戻して外し、圧縮コイルばね（９）により、Ｔボルト（２１）をそのねじ部（２１b）方向に負荷し、Ｔ部（２１ｃ）を押え金（２）の面に押圧させ、これによって、電線（４）を把持する。上記のＴボルト（２１）を回動してＴ部（２１ｃ）と叉部（１５）とを交差、特に直交させる際には、第７図に示すように、Ｔ部（２１ｃ）に二叉状の特殊工具を嵌合させて９０度回動して係止させるようにしている。
【０００９】
特許文献２の電線把持装置は、半円柱状の第１凹部（Ｃ１）を有するクランプ本（１Ａ）体と、半円柱状の第２凹部（Ｃ２）とを有し、前記クランプ本体に開閉可能に蝶着され、前記クランプ本体側へ閉じることにより前記第１凹部と前記第２凹部によって形成される円柱状凹部内に電線を挟持するクランプ蓋体（１Ｂ）と、前記円柱凹部内に電線を挟持した前記クランプ本体と前記クランプ蓋体の間にかけられ、前記クランプ蓋体に係合可能な幅と係合関係の外れを防ぐ長さを有した頭部（２Ａ）、および前記クランプ本体を非固定的に貫通する棒状部（２Ｂ）を有した挟持部材と、前記クランプ蓋体に係合した前記挟持部材の前記頭部を前記クランプ蓋体に押し付ける弾性力を発生する弾性手段と、前記弾性力が前記挟持部材に作用しないように前記弾性手段と前記挟持部材の弾性的関係を解放する弾性力解除手段を備え、前記クランブ本体と前記クランプ蓋体の前記円柱状凹部内に電線を挟持し、前記弾性力解除手段によって前記弾性的関係を解放した状態で前記挟持部材の前記頭部を前記クランプ蓋体に係合させるとともに前記挟持部材頭部を回転させて前記係合関係の外れを防ぎ、次に、前記弾性力解除手段による弾性的関係の解放を禁止して前記弾性手段の前記弾性力によって前記挟持部材の前記頭部を前記クランプ蓋体に押し付けるように構成された電線把持装置である。
【発明の開示】
【発明が解決しようとする課題】
【００１０】
特許文献１の従来装置は、上記のように構成され作用するので、電線把持力のばらつきも極めて小さく、押しねじの取外しによって所定の把持力を与えていることが施工後確認でき、トルクレンチも必要とせず、その他多くの利点を有するが、一方において、Ｔ部を叉部に交差させて係合させる場合に、押しねじの取外しに使用するラチエットレンチの外に、Ｔボルトを交差・係合させるためには、押しねじによりＴボルト軸に圧縮力が負荷されているため、手動で交差・係合させる事が出来ず、特殊な二叉状工具を必要とし、足場の不安定な高所においては不便であると言う問題を有していた。
【００１１】
特許文献２の従来装置は、特許文献１の問題点が解決され特殊な工具を必要としない反面、Ｔボルト頭部を回動自在とするために、Ｔボルト頭部の他端側に設けるばね受け部の構造が複雑な機構であり、多数のボルトレス電線把持部を必要とするＵＨＶ送電線用のスペーサにあっては、スペーサ全体の重量が増すと共にコストアップとなる問題点を有していた。
【００１２】
また、上記いずれの特許文献にも、ボルトレス電線把持部の構造だけが示されてはいるが、ＵＨＶ送電線のように、電位傾度が高く、ラジオ・テレビなどへのコロナ発生による電波障害や、雨天時にボルトレス電線把持部回りに形成される雨滴などによって生ずるコロナ騒音を、可及的に低減させるためのボルトレス電線把持部のスペーサ枠体への配置方法(手段)が具体的に示されてはおらず、従来の設計では、ボルトレス電線把持部が過大な重量となり、軽量で安価なＵＨＶ送電線用のスペーサを提供できないという共通の問題があった。
【課題を解決するための手段】
【００１３】
（１）かかる目的を達成するために、本発明のＵＨＶに好適な送電線用ボルトレススペーサは、連結棒（２０）でチャンバー（１５）を溶接により連結(接合)して正多角形の枠体（２３）を構成し、前記チャンバー（１５）に枠体（２３）の軸対称にボルトレス電線把持部（３０）を、ジャイロ運動が可能なように放射状に取り付けるとともに、前記ボルトレス電線把持部（３０）をターミナル（１４）に連結してチャンバー（１５）に組み付けた際に、前記ボルトレス電線把持部（３０）の正規組み付け姿勢を保持するための回転(回動)防止ストッパー（２２）を、チャンバー（１５）の所定箇所(平面２箇所)に対向して設けた、ことを特徴とする送電線用ボルトレススペーサである。
【００１４】
（２）また、本発明の送電線用ボルトレススペーサは、（１）のボルトレス電線把持部（３０）のクランプ（１）および２は連結ピン（３ｐ）を中心として開閉自在な構造とされ、クランプ（１）および（２）との間に電線を挟持すると共に、Ｔボルト（４）及びＴボルト（４）をねじ部側に負荷する締付けスプリング（５）とにより上記クランプ（１）にクランプ（２）を押圧し、上記Ｔボルト（４）をＴ部側に負荷する押しボルト（９）によってクランプ（１）へのクランプ（２）の押圧を解除するように構成されているボルトレス電線把持部（３０）において、上記クランプ（１），（２）の連結部（３）が多導体の対称軸線から±θ°変位させて構成した。
【００１５】
（３）(２)のθの範囲は、以下の範囲とした。
±２５°≦θ≦±４５°
【００１６】
（４）本発明の(１)〜(３)の送電線用ボルトレススペーサにおいて、
ボルトレス電線把持部（３０）のＴボルト（４）のＴ部側の外方向に六角溝（２５）を形成した。
（５）本発明の(１)の送電線用ボルトレススペーサにおいて、
前記回転防止ストッパー（２２）は、チャンバー（１５）の外平面の２箇所に対向して設けられる。
【００１７】
［作 用］
本発明のスペーサにあっては、枠体にボルトレス電線把持部を、ジャイロ運動が可能なように放射状に取り付けたので、あらゆる方向にスムースに動き得るから、自然の条件下で風などにより電線が様々な形態の振動などを生じても、これらの運動に対して抵抗なく追随し得、スペーサ取り付け部近傍に過大な応力を惹起せしめず、電線を常に安全な状態に保持することが出来る。
【００１８】
また、ボルトレス電線把持部（３０）の正規組み付け姿勢を保持するための回転防止ストッパー（２２）を、チャンバー（１５）の外側の平面の２箇所に対向して設けたので、ボルトレス電線把持部の方向がバラバラとなることなく、正常な取り付け状況に取り付け得るので、施工者の熟練の有無に拘わらず美観が良くして電線に取り付けることが出来る。
また、施工後の点検、特にクランプ（２）の長溝（２４）とＴボルト（４）のＴ部が、第７図のように直角に交差して係止されているか否かを、１方向から点検確認できるので、施工不良を確実になくすことができる。
【００１９】
さらに、Ｔボルト（４）のＴ部側外方向に六角溝（２５）を形成したしたので、例えば、六角レンチスパナなどの汎用の工具により、前記六角溝（２５）に嵌着させて容易にＴ部を長溝（２４）に交差させて係合させる事が出来るので、施工不良などが起きにくいボルトレススペーサとすることが出来る。
【発明の効果】
【００２０】
以上説明したように、本発明の送電線用のボルトレススペーサは構成されているので、以下のごとき格別な効果を奏する。
【００２１】
（１）本発明のスペーサでは、ボルトレス電線把持部を枠体にジャイロ運動が可能な様に可動的に取り付けたので、ボルトレス電線把持部に生ずる応力を効果的に緩和することができる。また、チャンバー（１５）に回転(回動)を防止するストッパー（２２）を設けたので、ボルトレス電線把持部の取り付け形状を画一的な取り付け形状とすることが出来、施工後の良否状態の点検作業を容易なものとすることができる。
【００２２】
（２）本発明のスペーサでは、電位傾度が最大となる対称軸線箇所における曲率半径の小さい蝶番ピンの連結位置を±θ°ずらして、曲率半径の大きなクランプ部分を位置させたので、該箇所には鋭利な形状の雨滴が形成されにくくなり、ラジオ・テレビの雑音障害や軽雨時のコロナ騒音公害を生じない、ＵＨＶ送電線用ボルトレススペーサを提供できる。
【００２３】
（３）本発明のスペーサでは、θの角度の範囲を次の値とすることにより、ラジオやテレビへの電波障害を大幅に低減させ得ると共に、軽雨時のコロナ騒音をも大幅に低減できる。            ±２５°≦θ≦±４５°
【００２４】
（４）本発明のスペーサでは、Ｔボルト（４）の頭部に六角溝（２５）を設けたので、押しボルト（９）によりＴボルト（４）に締め付けばねの反力に基づく軸力が作用した状態であっても、Ｔボルト（４）の頭部に設けた六角溝（２５）に六角レンチなどを差し込んで、容易に回動して係合させることが出来、施工性に優れたＵＨＶ送電線用ボルトレススペーサを提供できる。
【発明を実施するための最良の形態】
【００２５】
以下、本発明の一実施例を、第１図ないし第８図を参照して説明する。
第１図は、本発明のスペーサをＵＨＶ８導体送電線に適用した場合の８導体用ボルトレススペーサの正面図である。
第２図はボルトレス電線把持部３０１の拡大断面図である。
第３図は超高圧送電線あるいはＵＨＶ送電線用の６導体ボルトレススペーサの正面図である。
なお、以下の説明では、８導体用と６導体用ボルトレススペーサとでは、枠体への取り付け間隔が前者は４５°、後者は６０°間隔で取り付けられるほかは、ボルトレス電線把持部および枠体への連結の基本的構造は同一であるので、８導体用ボルトレススペーサについて説明することとする。
【００２６】
まず、本発明のスペーサの構造につき８導体用のボルトレススペーサを例にとって説明する。図１に示すごとく、８導体ボルトレススペーサは、円筒状のチャンバー（１５）に連結棒（２０）を溶接して８導体用枠体（２３）を形成する。チャンバー（１５）間の角度は４５°の等間隔に形成され、前記チャンバーにボルトレス電線把持部３０１〜３０８を左右対称に且つ放射状に取り付ける。
なお、導体（Ｃ）（電線直径＝Φ３４.４ｍｍ）を把持するボルトレス電線把持部（３０１〜３０８）は、コロナ特性の低下を避けるために、ボルトレス電線把持部の連結ピン（３ｐ）の位置を軸線から左右方向に（θ°）ずらしている。
この理由は、クランプ（１）および（２）は連結ピン（３ｐ）を中心として開閉自在な構造となっており、該箇所の曲率半径は通常設計ではＲ１０〜Ｒ１２ｍｍ程度で、該箇所をクランプ（２）の背面の曲率半径（上記電線直径に対する通常設計ではＲ３０〜４５ｍｍ程度）と同程度の曲率半径とすると肉厚が厚くなってボルトレス電線把持部重量が増すので、軽量化を図るために小さな曲率半径で設計する必要があるからである。
【００２７】
特に、ＵＨＶ送電線用のスペーサなどでは、一般の送電線よりも電位傾度が高くなるので、かかる曲率半径の小さな突起体となる箇所を軸線方向に一致して設けると、特に雨天時に雨滴などが該箇所に形成されやすくなり、一層鋭利な突起体が形成されてコロナが発生しやすく、ラジオ、テレビへの雑音障害やコロナ騒音などの公害騒音源となる、などの問題がある。
そこで、本発明では最も電位傾度が高くなる軸方向から、θ°だけ連結ピン（３ｐ）の位置を変位させて、軸方向箇所の曲率半径が大きくし得るクランプ（２）の背面箇所が位置するようにして、電界緩和を図ることとする設計手法を採用した。θの具体的な値としては、対称軸線の±２５°〜±４５°程度とするのがよい。
【００２８】
第２図は第１図のボルトレス電線把持部３０１の拡大断面図であり、この断面図により本発明のボルトレスクランプの機能を説明する。
第２図のボルトレス電線把持部３０は、クランプ本体１とクランプキャップ２とからなり、蝶番ピン３を軸として開閉自在に連結されている。同図はクランプキャップ２が閉じた状態を示しており、クランプ本体１の背面には略Ｕ字状のサドル（２６）が形成されて、その内側は空洞部（２７）が形成されている。
【００２９】
また、クランプ本体（１）の電線把持側からＴボルト（４）が挿通され、前記Ｔボルト（４）ねじ部側から締付けばね（５）と平座金（６）を装着し、ナット（７）を螺着して、所定の位置まで締付け調整後、固定スリーブ（８）を嵌着して圧着固定する。Ｕ字状のサドル（２６）側にはねじ穴が設けられており、該ねじ穴には押しボルト（９）が装着されて、Ｔボルト（４）のねじ部側のボルト軸心を所定量押し付けるように構成されている。
【００３０】
クランプ本体（１）とクランプキャップ（２）を蝶番ピン（３ｐ）で連結した反対側には、ターミナル（１４）を連結するクレビス部（２８）が形成されており、該箇所にターミナル（１４）を装着して連結ボルト（１０）で連結し、前記連結ボルト（１０）の先端ねじ部はスプリングピン（１３）で固定して、緩み防止を図っている。
連結ボルト（１０）に同心状に装着されている緩衝用ばね（１２）は、クレビス部とターミナル間のガタを吸収して騒音を防止するために適用されているものである。また、平座金（１１）は、緩衝用ばね（１２）を押さえておくために使用されているものである。
前記ターミナルの反対側にはねじ部が設けられており、該ねじ部側からチャンバー（１５）に挿通し、コイルばね（１６）と平座金（１７）を装着して、溝付きナット（１８）で締付け、割りピン（１９）を装着して緩み防止を図っている。
【００３１】
なお、チャンバーの内側は内径の異なる２段の円筒状の空洞が形成されており、チャンバーの開口側が大径に形成されていて、平座金（１１）の外縁部が前記チャンバーの大径空洞部で遊動出来る形状とされており、平座金（１１）と小径部の開口側の段差とは数ミリメートルの隙間を空けてあるので、電線の動きに対応してコイルばね（１６）が伸縮するため、ターミナル（１４）はジャイロ運動が可能な構造となっている。
また、（２２）は、ボルトレス電線把持部（３０）の正規組み付け姿勢を保持するための回転防止ストッパーであり、第４図のような形状でチャンバーの外表面の２箇所に対向して設けられている。
【００３２】
かかる構成において、第５図から第８図により本発明ＵＨＶ送電線用ボルトレススペーサの電線への取り付け状況を説明する。
第５図は、本発明のボルトレス電線把持部（３０）の一実施例のクランプキャップ（２）を開いた状態の側面図であり、第６図は、第５図で電線の挾持作業が終了した状態の側面図であり、第７図は、第５図でクランプキャップ（２）が閉じられＴボルト（４）がクランプキャップ（２）に係合してない状態を示す平面図であり、第８図は、第５図でクランプキャップ（２）が閉じられ、Ｔボルト（４）が９０度回転されて係合された状態の平面図である。
第５図および第６図に示すごとく、押しボルト（９）でＴボルト（４）の軸方向の位置規制がなされるとともに、Ｔボルト（４）がクランプキャップ（２）のＵ字状溝（２４）に挿通し得る形状となっている。
【００３３】
そして、第６図および第８図に示すごとく、クランプキャップ（２）を閉じて電線（Ｃ）を挾持し、Ｔボルト（４）を軸回りに９０度回転させてクランプキャップ（２）に係合することができる。さらに、押しボルト（９）を緩めて抜き取れば、電線（Ｃ）は締め付けばね（５）の弾力で適正に挾持される。
【００３４】
ところで、Ｔボルト（４）がクランプキャップ（２）のＵ字状溝（２４）にＴボルト（４）の頭部を９０度回転して係合する作業工程においては、Ｔボルト（４）の頭部に六角溝（２５）を設けたので、該溝に市販の六角レンチを差し込んで９０度回転することは極めて容易である。
また、第７図および第８図において、Ｗ１およびＷ２は高段差の壁面が形成されており、これらの図ではＴボルト（４）の頭部は反時計回りにしか回せない構造となっている。そこで、９０度回転した場合には、Ｔボルト（４）の頭部側面がこれらの高段差壁面に突き当たってそれ以上回転できない構造となっているので、回転できなくなった時点で六角レンチを抜き去れば適正な施工が出来たことを感知できる。
【図面の簡単な説明】
【００３５】
【図１】本発明の８導体用ボルトレススペーサの正面図である。
【図２】ボルトレス電線把持部３０１の拡大断面図である。
【図３】本発明の６導体用ボルトレススペーサの正面図である。
【図４】チャンバーの外表面の２箇所に対向して設けた回転防止ストッパーの形状を示す立体斜視図である。
【図５】本発明のボルトレス電線把持部の一実施例のクランプキャップを開いた状態を示す側面図である。
【図６】第５図で電線の把持作業を終了した状態を示す側面図である。
【図７】第５図でクランプキャップが閉じられ、Ｔボルトがクランプキャップに係合していない状態を示す平面図である。
【図８】第５図でクランプキャップが閉じられＴボルトが９０度回転されて係合された状態を示す平面図である。
【符号の説明】
【００３６】
１  クランプ本体
２  クランプキャップ
３    連結部
３ｐ  蝶番ピン
４  Ｔボルト
５  締付けばね
６  平座金
７  六角ナット
８  ナット固定スリーブ
９  押しボルト
１０  連結ボルト
１１  平座金
１２  緩衝ばね
１３  スプリングピン
１４  ターミナル
１５  チャンバー
１６  コイルばね
１７  平座金
１８  溝付きナット
１９  割りピン
２０  連結棒
２１  上表示マーク
２２  回転防止ストッパー
２３  枠体（スペーサ枠体）
２４  Ｕ字状溝
２５  六角溝
２６  Ｕ字状サドル部
２７  空洞部
２８  クレビス部
３０，３０１〜３０８，ボルトレス型の電線把持部
Ｃ    電線
Ｗ１，Ｗ２    高段差壁面
θ      蝶番ピンの変位角
【図１】
2009022101.tif 000003
【図２】
2009022101.tif 000004
【図３】
2009022101.tif 000005
【図４】
2009022101.tif 000006
【図５】
2009022101.tif 000007
【図６】
2009022101.tif 000008
【図７】
2009022101.tif 000009
【図８】
2009022101.tif 000010